(57)【要約】      （修正有）【課題】壁面に立て掛けて斜めに展示した場合に傾斜姿勢を安定させることができる包装箱を提供する。【解決手段】包装箱１Ｔは、底壁１Ｄと、底壁１Ｄの前部に対して起立した姿勢で配置される正面壁１１と、底壁１Ｄの後部に対して起立した姿勢で配置される背面壁１２と、底壁１Ｄと正面壁１１との間に設けられ、底壁１Ｄと正面壁１１とに対して斜めに配置される前方傾斜壁２３と、底壁１Ｄと背面壁１２との間に設けられ、底壁１Ｄと背面壁１２とに対して斜めに配置される後方傾斜壁２４と、を備え、展示スペース５０の床面５１と壁面５２との間にて底壁１Ｄを傾斜姿勢とした場合、前方傾斜壁２３は床面５１に接触し、後方傾斜壁２４は壁面５２に接触する。【選択図】図７
0003216799.tif 000002
【実用新案登録請求の範囲】
【請求項１】
底壁（１Ｄ）と、
前記底壁の前部に対して起立した姿勢で配置される正面壁（１１）と、
前記底壁の後部に対して起立した姿勢で配置される背面壁（１２）と、
前記底壁と前記正面壁との間に設けられ、前記底壁と前記正面壁とに対して斜めに配置される前方傾斜壁（２３）と、
前記底壁と前記背面壁との間に設けられ、前記底壁と前記背面壁とに対して斜めに配置される後方傾斜壁（２４）と、を備え、
展示スペース（５０）の床面（５１）と壁面（５２）との間にて前記底壁を傾斜姿勢とした場合、前記前方傾斜壁は前記床面に接触し、前記後方傾斜壁は前記壁面に接触することを特徴とする包装箱。
【請求項２】
前記展示スペースの前記床面と前記壁面とは、互いに直交しており、
前記底壁に対する前記前方傾斜壁の傾斜角度（α）と、前記底壁に対する前記後方傾斜壁の傾斜角度（β）とは、互いの和が９０度になるように３０度以上６０度以下に設定されていることを特徴とする請求項１に記載の包装箱。
【請求項３】
前記正面壁と前記背面壁との左右両端部の間に二重壁構造に形成され、前記底壁の左右両端部に対して起立した姿勢で配置される一対の側壁（１Ｓ）を備え、
前記一対の側壁の上部には、一対の係合部（３３）が形成され、
前記底壁の左右両側には、一対の被係合部（３０）が前記一対の係合部よりも前方に形成され、
下方に位置する前記包装箱の前記係合部と上方に位置する前記包装箱の前記被係合部とが互いに係合することで、上方に位置する前記包装箱が下方に位置する前記包装箱よりも後方にずれた状態に連結されることを特徴とする請求項１または２に記載の包装箱。
【請求項４】
前記係合部と前記被係合部との前後方向のずれ量（Ｄ）は、前記側壁の前後方向の全長の１/３以上２/３以下の範囲に設定されていることを特徴とする請求項３に記載の包装箱。
【考案の詳細な説明】
【技術分野】
【０００１】
本考案は、包装箱に関する。
【背景技術】
【０００２】
例えば、特許文献１に記載の包装箱は、底板、前壁、後壁、頂板を備えている。頂板は、前壁に連設された前頂板と、前頂板に中折線を介して連設された後頂板と、を有している。頂板は前壁に設けられた前カット線によって開封されることで、天面が開放されたトレイが構成される。天面が開放されたトレイは、商品を載せたまま店頭に展示される。また、頂板を中折線で折り曲げることで、広告部が起立して人目を引く展示販売効果を発揮する。
【先行技術文献】
【特許文献】
【０００３】
【特許文献１】特開２０１５−５４７０８号公報
【考案の概要】
【考案が解決しようとする課題】
【０００４】
ところで、トレイの展示にあたって更に人目を引くために、トレイを展示スペースの壁面に立て掛けて斜めに展示することがある。上記のトレイでは、前壁と後壁とが底板の前後両端部に直立しているため、トレイを斜めに展示すると、トレイの前方の下角部が展示スペースの床面に接触し、トレイの後方の下角部が展示スペースの壁面に接触することになる。したがって、傾斜姿勢にしたトレイと展示スペースの床面・壁面との接触面積が小さいため、トレイの傾斜姿勢が安定せず、トレイが床面および壁面に沿って滑ることで倒れてしまうことがあった。また、商品が重い場合等、傾斜姿勢にしたトレイの前方または／および後方の下角部が荷重を受けて潰れてしまうことがあった。すると、トレイの形状が崩れてしまい展示販売効果が損なわれる虞があった。
【０００５】
本考案は、上記課題を解決するために、壁面に立て掛けて斜めに展示した場合に傾斜姿勢を安定させることができる包装箱を提供する。
【課題を解決するための手段】
【０００６】
上記した目的を達成するため、本考案に係る包装箱は、底壁と、前記底壁の前部に対して起立した姿勢で配置される正面壁と、前記底壁の後部に対して起立した姿勢で配置される背面壁と、前記底壁と前記正面壁との間に設けられ、前記底壁と前記正面壁とに対して斜めに配置される前方傾斜壁と、前記底壁と前記背面壁との間に設けられ、前記底壁と前記背面壁とに対して斜めに配置される後方傾斜壁と、を備え、展示スペースの床面と壁面との間にて前記底壁を傾斜姿勢とした場合、前記前方傾斜壁は前記床面に接触し、前記後方傾斜壁は前記壁面に接触する。
【０００７】
この場合、前記展示スペースの前記床面と前記壁面とは、互いに直交しており、前記底壁に対する前記前方傾斜壁の傾斜角度と、前記底壁に対する前記後方傾斜壁の傾斜角度とは、互いの和が９０度になるように３０度以上６０度以下に設定されていることが好ましい。
【０００８】
この場合、前記正面壁と前記背面壁との左右両端部の間に二重壁構造に形成され、前記底壁の左右両端部に対して起立した姿勢で配置される一対の側壁を備え、前記一対の側壁の上部には、一対の係合部が形成され、前記底壁の左右両側には、一対の被係合部が前記一対の係合部よりも前方に形成され、下方に位置する前記包装箱の前記係合部と上方に位置する前記包装箱の前記被係合部とが互いに係合することで、上方に位置する前記包装箱が下方に位置する前記包装箱よりも後方にずれた状態に連結されることが好ましい。
【０００９】
この場合、前記係合部と前記被係合部との前後方向のずれ量は、前記側壁の前後方向の全長の１/３以上２/３以下の範囲に設定されていることが好ましい。
【考案の効果】
【００１０】
本考案によれば、包装箱を壁面に立て掛けて斜めに展示した場合に傾斜姿勢を安定させることができる。
【図面の簡単な説明】
【００１１】
【図１】本考案の一実施形態に係る包装箱（封緘状態）を示す斜視図である。
【図２】本考案の一実施形態に係る包装箱のブランクを示す平面図である。
【図３】本考案の一実施形態に係る包装箱の底壁を組み立てた状態を示す斜視図である。
【図４】本考案の一実施形態に係る包装箱の側壁等を組み立てた状態を示す斜視図である。
【図５】本考案の一実施形態に係る包装箱（またはトレイ）を示す側面図である。
【図６】本考案の一実施形態に係る包装箱を開封してトレイを構成した状態を示す斜視図である。
【図７】本考案の一実施形態に係るトレイを傾斜させて展示スペースに展示した状態を示す側面図である。
【図８】本考案の一実施形態に係るトレイを連結する過程を説明する斜視図である。
【図９】本考案の一実施形態に係るトレイを積み重ね、且つ傾斜させて展示スペースに展示した状態を示す側面図である。
【図１０】本考案の一実施形態の変形例に係る包装箱を開封してトレイを構成した状態を示す斜視図である。
【考案を実施するための形態】
【００１２】
以下、添付の図面を参照しつつ、本考案の実施形態について説明する。なお、図面に示す「Ｆｒ」は「前」を示し、「Ｒｒ」は「後」を示し、「Ｌ」は「左」を示し、「Ｒ」は「右」を示し、「Ｕ」は「上」を示し、「Ｄ」は「下」を示している。本明細書では方向や位置を示す用語を用いるが、それらの用語は説明の便宜のために用いるものであって、本考案の技術的範囲を限定するものではない。
【００１３】
図１および図２を参照して、包装箱１について説明する。図１は包装箱１を示す斜視図である。図２は包装箱１のブランク５を示す平面図である。
【００１４】
［包装箱の概要］
図１に示すように、包装箱１は、左右方向に長い略直方体状に形成されている。詳細は後述するが、包装箱１は、上面等を開放されることでトレイ１Ｔとして使用可能に構成されている（図６参照）。このトレイ１Ｔは、商品（図示せず）を底壁１Ｄに載せたまま店頭の展示スペース５０に展示されることになる。
【００１５】
包装箱１は、図２に示すブランク５を組み立てることで形成される。ブランク５は、一枚の紙製の段ボールシートを抜型等で打ち抜いて形成されている。段ボールシートは、例えば、波状の中しん９Ａに表ライナ９Ｂと裏ライナ９Ｃ（図３参照）とを貼り合せた両面段ボールシートである。なお、図２は、表ライナ９Ｂ側（包装箱１の外面側）を示している。本明細書では、段ボールの中しん９Ａと平行な方向を「段方向」と呼び、段方向に直交する方向を「流れ方向」と呼ぶこととする。図面に示す「Ｘ」は「段方向」を示し、「Ｙ」は「流れ方向」を示している。また、ブランク５の説明において、「前」、「後」、「左」、「右」、「上」、「下」およびこれに類する用語は、包装箱１を組み立てた状態における方向を指している。
【００１６】
［ブランク］
図２に示すように、ブランク５は、一対の外側壁１０と、正面壁１１と、背面壁１２と、継代片１３と、一対の側底フラップ２０と、前底フラップ２１と、後底フラップ２２と、前方傾斜壁２３と、後方傾斜壁２４と、一対の内側壁２５と、中敷き壁２６と、蓋壁２７と、を備えている。
【００１７】
一方（右方）の外側壁１０、正面壁１１と、他方（左方）の外側壁１０、背面壁１２および継代片１３は、この順番で流れ方向一方から他方に向かって一列に並び、縦折曲線Ｌ１を介して連設されている。
【００１８】
＜外側壁＞
一対の外側壁１０は、正面壁１１や背面壁１２よりも段方向に長い略長方形状に形成されている。正確には、外側壁１０は、段方向一方の両角部を略斜め４５度に切り欠かれた一対の隅切部１０Ａを有し、略六角形状に形成されている。
【００１９】
＜正面壁＞
正面壁１１は、一対の外側壁１０の間に挟まれ、隅切部１０Ａを除く外側壁１０の流れ方向端部に連設されている。正面壁１１は、段方向他端から一方に（上端から下方に）向かって略台形状の正面凹部１１Ａを有する多角形状に形成されている。正面壁１１は、外側壁１０よりも流れ方向に長く形成されている。
【００２０】
＜背面壁＞
背面壁１２は、外側壁１０と継代片１３との間に挟まれ、隅切部１０Ａを除く外側壁１０の流れ方向端部に連設されている。背面壁１２は、正面壁１１と流れ方向に略同一寸法となる略長方形状に形成されている。
【００２１】
＜側底フラップ＞
一対の側底フラップ２０は、下折曲線Ｌ２を介して隅切部１０Ａを除く一対の外側壁１０の段方向一端部（下端部）に連設されている。一対の側底フラップ２０は、前底フラップ２１を挟んで左右対称に形成されている。側底フラップ２０は、前底フラップ２１側に略台形状の切り欠きを有し、前底フラップ２１から離れた位置に段方向一方に向かって突き出した側底凸部２０Ａを有して略Ｌ字状に形成されている。側底フラップ２０の段方向の最大寸法（延出寸法）は、外側壁１０の流れ方向の寸法の半分よりも僅かに長く設定されている。
【００２２】
一対の側底フラップ２０には、一対の係合突起部３０（被係合部）と、一対の底溝３１とが形成されている。係合突起部３０は、正面壁１１側に位置する隅切部１０Ａの近傍にて側底フラップ２０に形成されたミシン線Ｌ１０（複数の切目を所定間隔で並べた線）によって区画されている。係合突起部３０は、下折曲線Ｌ２から側底フラップ２０に食い込むように突出している。詳細は後述するが、係合突起部３０は、ミシン線Ｌ１０に沿って側底フラップ２０から切断された後に引き起こされて使用される。底溝３１は、正面壁１１から離れて位置する隅切部１０Ａの近傍にて側底フラップ２０の端部から内側に向かって切り込まれている。底溝３１は、下折曲線Ｌ２に沿って延びている。
【００２３】
＜前底フラップ、前方傾斜壁＞
前底フラップ２１は、２本の下折曲線Ｌ２を介して正面壁１１の段方向一端部に連設されている。前底フラップ２１と正面壁１１との間には、前方傾斜壁２３が設けられている。前底フラップ２１および前方傾斜壁２３は、正面壁１１の流れ方向に略同一寸法となる略長方形状に形成されている。前底フラップ２１の先端部には、差込凹部２１Ａが基端側（前方傾斜壁２３側）に向かって凹設されている。前底フラップ２１の段方向の最大寸法（延出寸法）は、側底フラップ２０の延出寸法と略同一に設定されている。前方傾斜壁２３の段方向の寸法（延出寸法）は、隅切部１０Ａの傾斜辺の長さと略同一に設定されている。
【００２４】
＜後底フラップ、後方傾斜壁＞
後底フラップ２２は、２本の下折曲線Ｌ２を介して背面壁１２の段方向一端部に連設されている。後底フラップ２２と背面壁１２との間には、後方傾斜壁２４が設けられている。後方傾斜壁２４は、背面壁１２の流れ方向に略同一寸法となる略長方形状に形成されている。後底フラップ２２は、後方傾斜壁２４よりも一対の底溝３１の溝幅分だけ短い略台形状に形成されている。後底フラップ２２の先端部には、差込片２２Ａが段方向一方（外側）に向かって凸設されている。後底フラップ２２と前底フラップ２１との延出寸法は略同一に設定され、後方傾斜壁２４と前方傾斜壁２３との延出寸法は略同一に設定されている。
【００２５】
＜内側壁＞
一対の内側壁２５は、２本の上折曲線Ｌ３を介して一対の外側壁１０の段方向他端部（上端部）に連設されている。外側壁１０と内側壁２５との間には、額縁部２８が設けられている。一対の内側壁２５および一対の額縁部２８は、中敷き壁２６を挟んで左右対称に形成されている。内側壁２５および額縁部２８は、外側壁１０の流れ方向に略同一寸法となる略長方形状に形成されている。正確には、内側壁２５は、段方向他方の両角部を略斜め４５度に切り欠かれた一対の隅切部２５Ａを有し、略六角形状に形成されている。内側壁２５の延出寸法は、外側壁１０の延出寸法よりも僅かに短く設定されている。額縁部２８の延出寸法は、段ボールシートの厚さよりも僅かに長く設定されている。
【００２６】
一対の内側壁２５には、一対の内側突起２５Ｂが形成されている。内側突起２５Ｂは、側底フラップ２０の底溝３１に対応する位置にて内側壁２５の先端から段方向他方（外側）に向かって凸設されている。一対の額縁部２８には、一対の係合案内片３２が形成されている。係合案内片３２は、底溝３１および内側突起２５Ｂに対応する位置にて額縁部２８に形成された切目線Ｌ１１によって区画されている。係合案内片３２は、外側壁１０との境界の上折曲線Ｌ３から額縁部２８を横断して内側壁２５に僅かに食い込むように突出している。
【００２７】
＜中敷き壁＞
中敷き壁２６は、正面壁１１の正面凹部１１Ａの底縁から段方向他方に向かって延設されている。中敷き壁２６は、正面内壁３５と、傾斜内壁３６と、底内壁３７と、を含んでいる。
【００２８】
（正面内壁、傾斜内壁）
正面内壁３５は、開口折曲線Ｌ２０を介して正面壁１１の正面凹部１１Ａの底縁に連設されている。正面内壁３５は、正面凹部１１Ａの下部に対応した略四角形状に形成されている。正面内壁３５の延出寸法は、正面凹部１１Ａの底縁と前方傾斜壁２３との間隔と略同一に設定されている。傾斜内壁３６は、第１逆折線Ｌ２１を介して正面内壁３５の段方向他端部に連設されている。傾斜内壁３６は、正面凹部１１Ａの中間部に対応した略四角形状に形成されている。傾斜内壁３６の延出寸法は、前方傾斜壁２３の延出寸法と略同一に設定されている。
【００２９】
（底内壁）
底内壁３７は、第２逆折線Ｌ２２を介して傾斜内壁３６の段方向他端部に連設されている。底内壁３７は、全体的に、正面壁１１の流れ方向に略同一寸法となる略長方形状に形成されている。底内壁３７の基端部は、正面凹部１１Ａの上部に対応した輪郭を有している。底内壁３７は、その先端を内側壁２５の先端に揃える位置まで延びている。底内壁３７の左右両側の先端側には、略長方形状の一対の切欠部３７Ａが形成されている。また、底内壁３７の先端中央には、半円形状の指掛け部３７Ｂが形成されている。
【００３０】
また、正面内壁３５の左右両端部、傾斜内壁３６の左右両端部および底内壁３７の左右両側の基端部は、一対のミシン線Ｌ１２を介して正面壁１１の正面凹部１１Ａの左右側縁に連設されている。一対のミシン線Ｌ１２は、正面壁１１の上部の左右両端から内側に延びた後、下方に折れ曲がって開口折曲線Ｌ２０の左右両端部まで延びている。開口折曲線Ｌ２０および一対のミシン線Ｌ１２は、正面凹部１１Ａの輪郭に沿って形成されている。
【００３１】
＜蓋壁＞
蓋壁２７は、背面壁１２の段方向他端部から他方に向かって延設されている。蓋壁２７は、後蓋壁４０と、前蓋壁４１と、蓋差込片４２と、を含んでいる。後蓋壁４０、前蓋壁４１および蓋差込片４２は、背面壁１２の流れ方向に略同一寸法となる略長方形状に形成されている。後蓋壁４０は、上折曲線Ｌ３を介して背面壁１２の段方向他端部に連設されている。後蓋壁４０の延出寸法は、外側壁１０の流れ方向の寸法の略半分に設定されている。前蓋壁４１は、中間折曲線Ｌ２３を介して後蓋壁４０の段方向他端部に連設されている。前蓋壁４１の延出寸法は、後蓋壁４０の延出寸法と略同一に設定されている。蓋差込片４２は、差込折曲線Ｌ２４を介して前蓋壁４１の段方向他端部に連設されている。蓋差込片４２の延出寸法は、正面凹部１１Ａの高さと略同一寸法に設定されている。
【００３２】
縦折曲線Ｌ１、下折曲線Ｌ２、上折曲線Ｌ３、開口折曲線Ｌ２０、中間折曲線Ｌ２３および差込折曲線Ｌ２４は、段ボールシートを裏ライナ９Ｃ側から厚み方向に直線状に潰した汎用罫線である。これらの折曲線Ｌ１〜Ｌ３，Ｌ２０，Ｌ２３，Ｌ２４は、裏ライナ９Ｃを内側に向けるように段ボールシートを折曲させる機能を有している。また、第１逆折線Ｌ２１および第２逆折線Ｌ２２は、段ボールシートを表ライナ９Ｂ側から厚み方向に直線状に潰した逆罫線である。これらの逆折線Ｌ２１，Ｌ２２は、表ライナ９Ｂを内側に向けるように段ボールシートを折曲させる機能を有している。なお、縦折曲線Ｌ１等や第１逆折線Ｌ２１等は、罫線に限らず、罫線上に複数の切目を所定間隔に並べたリード罫線等、段ボールシートを折り曲げるための線であれば如何なるものでもよい。
【００３３】
［包装箱の組立］
次に、図１、図３ないし図５を参照して、包装箱１の組立作業について説明する。図３は包装箱１の底壁１Ｄを組み立てた状態を示す斜視図である。図４は包装箱１の側壁１Ｓ等を組み立てた状態を示す斜視図である。図５は包装箱１（またはトレイ１Ｔ）を示す側面図である。なお、包装箱１は、作業者によって手作業で組み立てられてもよいし、製函機によって自動または半自動で組み立てられてもよい。ここでは、一例として、作業者が包装箱１を組み立てる場合について説明する。また、継代片１３は、一方（右方）の外側壁１０の内面に接着剤を介して接着された状態であるものとする。なお、接着剤として、例えば、ホットメルト接着剤、合成樹脂系エマルジョン接着剤または両面テープ等を用いることができる。
【００３４】
作業者は、一対の外側壁１０、正面壁１１および背面壁１２を縦折曲線Ｌ１に沿って略直角に折り曲げて、上下両端面を開口した周壁を形成する。次に、図３に示すように、作業者は、前底フラップ２１と前方傾斜壁２３とを２本の下折曲線Ｌ２に沿って内側（後方）に折り曲げた後、一対の側底フラップ２０を下折曲線Ｌ２に沿って内側に折り曲げる。すると、一対の側底フラップ２０が前底フラップ２１の表面に重ねられ、一対の側底凸部２０Ａが差込凹部２１Ａの左右両側に配置される。作業者は、後底フラップ２２と後方傾斜壁２４とを２本の下折曲線Ｌ２に沿って内側（前方）に折り曲げ、差込片２２Ａを差込凹部２１Ａに差し込む。すると、後底フラップ２２は一対の側底フラップ２０の表面に重ねられ、差込片２２Ａは前底フラップ２１の裏面に重ねられる。
【００３５】
以上のように、４枚のフラップ２０〜２２は、所謂「インターロック形式」で組み上げられて底壁１Ｄを構成する。一対の外側壁１０は、底壁１Ｄの左右両端部に対して起立した姿勢で配置される。正面壁１１および背面壁１２は、底壁１Ｄの前部および後部に対して起立した姿勢で配置される。前方傾斜壁２３は、底壁１Ｄと正面壁１１とに対して斜めに配置される（図５参照）。後方傾斜壁２４は、底壁１Ｄと背面壁１２とに対して斜めに配置される（図５参照）。
【００３６】
次に、図３および図４に示すように、作業者は、中敷き壁２６の正面内壁３５、傾斜内壁３６および底内壁３７をミシン線Ｌ１２に沿って正面壁１１から切断し、正面内壁３５を開口折曲線Ｌ２０に沿って内側に折り返す。また、作業者は、傾斜内壁３６を第１逆折線Ｌ２１に沿って谷折りし、底内壁３７を第２逆折線Ｌ２２に沿って谷折りする。すると、正面内壁３５は正面壁１１の裏面に重ねられ、傾斜内壁３６は前方傾斜壁２３の裏面に重ねられ、底内壁３７は底壁１Ｄの略全体に重ねられる。この状態で、正面壁１１には、正面凹部１１Ａに沿って正面開口が形成される（図４参照）。
【００３７】
次に、作業者は、一対の内側壁２５と一対の額縁部２８とを２本の上折曲線Ｌ３に沿って内側に折り曲げる。すると、外側壁１０と内側壁２５とは、僅かな隙間を挟んで対向して二重壁構造の側壁１Ｓを構成する。側壁１Ｓは、正面壁１１と背面壁１２との左右両端部の間に二重壁構造に形成され、底壁１Ｄの左右両端部に対して起立した姿勢で配置される。内側壁２５の内側突起２５Ｂは、側底フラップ２０の底溝３１（底内壁３７の切欠部３７Ａ）に差し込まれており、内側壁２５が元に戻ることを抑制している。また、一対の内側壁２５が折れ曲がると、一対の額縁部２８の係合案内片３２が切目線Ｌ１１に沿って刳り貫かれて外側壁１０の上端から上方に突設される。このため、一対の額縁部２８（一対の側壁１Ｓの上部）には、一対の係合穴３３（係合部）が形成される（図４参照）。
【００３８】
なお、この状態で、包装箱１の内面は、後方内面を除いて略段ボールシートの表面となっている。また、上記した組立作業では、中敷き壁２６を折り込んだ後に、一対の側壁１Ｓを折り込んでいたが、この折り込みの順番は逆でもよい。
【００３９】
次に、図１および図５に示すように、作業者は、商品を底壁１Ｄ上（正確には底内壁３７の上）に載置した後、蓋壁２７（後蓋壁４０）を上折曲線Ｌ３に沿って前方に折り曲げる。また、作業者は、蓋差込片４２を差込折曲線Ｌ２４に沿って下方に折り曲げて正面壁１１と一対の側壁１Ｓの前端との間に差し込む。この状態で、後蓋壁４０および前蓋壁４１は包装箱１の上面開口を閉塞し、蓋差込片４２は、その先端部を正面凹部１１Ａの底辺に接触させて包装箱１の前面開口を閉塞している。
【００４０】
以上によって、包装箱１の組立作業が完了する。つまり、包装箱１は封緘された状態になる（図１参照）。図５に示すように、前方傾斜壁２３と後方傾斜壁２４とは、側壁１Ｓ（１０，２５）の隅切部１０Ａ，２５Ａの輪郭に沿うように底壁１Ｄに対して約４５度の角度で傾斜している。底壁１Ｄに対する前方傾斜壁２３の傾斜角度α（＝４５度）と、底壁１Ｄに対する後方傾斜壁２４の傾斜角度β（＝４５度）との和は約９０度になっている。この包装箱１によれば、前方および後方傾斜壁２３，２４が底壁１Ｄに対して傾斜しているため、例えば、包装箱１が水平に置かれている場合であっても、作業者は前方および後方傾斜壁２３，２４に容易に手を掛けることができる。これにより、作業者は包装箱１を確り掴んで持ち上げる（運搬する）ことができる。
【００４１】
［包装箱の開封およびトレイの展示］
次に、図５ないし図９を参照して、包装箱１の開封作業およびトレイ１Ｔの展示について説明する。図６は包装箱１を開封してトレイ１Ｔを構成した状態を示す斜視図である。図７はトレイ１Ｔを傾斜させて展示スペース５０に展示した状態を示す側面図である。図８はトレイ１Ｔを連結する過程を説明する斜視図である。図９はトレイ１Ｔを積み重ね、且つ傾斜させて展示スペース５０に展示した状態を示す側面図である。
【００４２】
＜包装箱の開封＞
図５および図６に示すように、作業者は、蓋差込片４２を正面壁１１と各側壁１Ｓとの間から上方に引き抜き、上折曲線Ｌ３で折れた後蓋壁４０を引き起こす。すると、包装箱１が開封され、包装箱１は前面および上面を開放されたトレイ１Ｔを構成する。このトレイ１Ｔは、商品を底壁１Ｄ（底内壁３７）に載せたまま展示スペース５０に配置されるようになっている。蓋壁２７（主に前蓋壁４１）の表面には商品の販売促進等を目的とした広告等（図示せず）が印刷されており、蓋壁２７は、この広告等による販売促進効果を有効に発揮するための構造を有している。
【００４３】
作業者は、後蓋壁４０を起立させ、前蓋壁４１を中間折曲線Ｌ２３に沿って手前に折り返す。すると、前蓋壁４１は、後蓋壁４０の裏面に重ねられる。また、蓋差込片４２は、一対の側壁１Ｓの間に入り込み、背面壁１２の裏面に重ねられる。作業者は、このトレイ１Ｔ（の底壁１Ｄ）を展示スペース５０の床面５１に載置する。トレイ１Ｔは略水平姿勢で展示スペース５０に配置されるが、後蓋壁４０と前蓋壁４１とが背面壁１２よりも上方に延設されているため、人目を引くように前蓋壁４１等に印刷された広告等を展示することができる。その結果、広告等による販売促進効果を高めることができる。
【００４４】
＜トレイの展示（傾斜姿勢）＞
ところで、図７に示すように、更に人目を引くために、トレイ１Ｔを展示スペース５０の壁面５２に立て掛けて斜めに展示することがある。展示スペース５０の床面５１と壁面５２とは互いに略直交しており、前方傾斜壁２３と後方傾斜壁２４との傾斜角度α，βは互いの和が約９０度になるように約４５度に設定されている。したがって、展示スペース５０の床面５１と壁面５２との間にて底壁１Ｄを傾斜姿勢とした場合、前方傾斜壁２３は床面５１に接触し、後方傾斜壁２４は壁面５２に接触する。なお、後蓋壁４０と前蓋壁４１とは、壁面５２と略平行になるように上折曲線Ｌ３と差込折曲線Ｌ２４とで後方に折り曲げられている。これにより、人目を引くように前蓋壁４１等に印刷された広告等を展示することができる。
【００４５】
以上説明した本実施形態に係るトレイ１Ｔ（包装箱１）によれば、展示スペース５０にトレイ１Ｔを斜めに展示した場合に、前方傾斜壁２３の略全面を床面５１に接触させることができ、且つ後方傾斜壁２４の略全面が壁面５２に接触させることができる。このため、各傾斜壁２３，２４が存在しない場合に比べて、傾斜したトレイ１Ｔと床面５１・壁面５２との接触面積を大きくすることができる。これにより、トレイ１Ｔが床面５１および壁面５２に沿って滑ることが抑制され、トレイ１Ｔを斜めに立て掛けた状態を適切に維持することができる。つまり、トレイ１Ｔ（包装箱１）の傾斜姿勢を安定させることができる。
【００４６】
また、例えば、商品が重い場合であっても、前方傾斜壁２３によって大きな荷重を受けることができるため、トレイ１Ｔの傾斜方向下部や傾斜方向上部が荷重で潰れることを抑制することができる。これにより、トレイ１Ｔの形状（意匠）を維持することができ、商品の展示販売効果を有効に発揮することができる。
【００４７】
＜トレイの積層および展示（傾斜姿勢）＞
店頭では限られた展示スペース５０を有効に利用するために、複数のトレイ１Ｔを積み重ねて展示することがある。この場合でも、更に人目を引くために、積層した複数のトレイ１Ｔを展示スペース５０の壁面５２に立て掛けて斜めに展示することがある。なお、以下、説明を簡単にするために、２つのトレイ１Ｔを積み重ねる場合について説明する。また、以下の説明では、便宜上、下方のトレイ１Ｔを「下段トレイ１Ｔ（Ｄ）」とも呼び、下段トレイ１Ｔ（Ｄ）の各構成に符号「（Ｄ）」を付加し、上方のトレイ１Ｔを「上段トレイ１Ｔ（Ｕ）」とも呼び、上段トレイ１Ｔ（Ｕ）の各構成に符号「（Ｕ）」を付加することとする。また、下段トレイ１Ｔ（Ｄ）と上段トレイ１Ｔ（Ｕ）とで共通する説明では、単に「トレイ１Ｔ」と呼ぶこととする。
【００４８】
図８に示すように、作業者は、上段トレイ１Ｔ（Ｕ）の一対の係合突起部３０（Ｕ）をミシン線Ｌ１０（Ｕ）（図２参照）に沿って切断して下方に引き倒す。係合突起部３０（Ｕ）は、側底フラップ２０（Ｕ）の前端部から下方に突設される。図５に示すように、一対の係合突起部３０は、底壁１Ｄの左右両側にて一対の係合穴３３（係合案内片３２）よりも前方に形成されている。係合穴３３と係合突起部３０との前後方向のずれ量Ｄは、側壁１Ｓの前後方向の全長の約２/３に設定されている。
【００４９】
次に、図８に示すように、作業者は、下段トレイ１Ｔ（Ｄ）の後蓋壁４０（Ｄ）および前蓋壁４１（Ｄ）を後方に折り曲げる。その後、作業者は、上段トレイ１Ｔ（Ｕ）の各係合突起部３０（Ｕ）を下段トレイ１Ｔ（Ｄ）の各係合穴３３（Ｄ）に差し込む。すると、上段トレイ１Ｔ（Ｕ）が下段トレイ１Ｔ（Ｄ）の後方にずれた位置で（オフセットして）連結される。上段トレイ１Ｔ（Ｕ）の底壁１Ｄ（Ｕ）は、下段トレイ１Ｔ（Ｄ）の前蓋壁４１（Ｄ）上に配置される。なお、一対の係合案内片３２（Ｄ）は、係合突起部３０（Ｕ）を係合穴３３（Ｄ）に差し込む際にガイドとして機能する。
【００５０】
図９に示すように、作業者は、連結された２つのトレイ１Ｔを展示スペース５０の壁面５２に立て掛けて斜めに展示する。すると、下段トレイ１Ｔ（Ｄ）の前方傾斜壁２３（Ｄ）が床面５１に接触し、下段トレイ１Ｔ（Ｄ）と上段トレイ１Ｔ（Ｕ）との後方傾斜壁２４（Ｄ，Ｕ）が壁面５２に接触する。これにより、１つのトレイ１Ｔを傾斜姿勢にした場合と同様に、２つ（複数）のトレイ１Ｔ（包装箱１）の傾斜姿勢を安定させることができる。
【００５１】
以上説明した本実施形態では、下方に位置するトレイ１Ｔ（Ｄ）の係合穴３３（Ｄ）と上方に位置するトレイ１Ｔ（Ｕ）の係合突起部３０（Ｕ）とが互いに係合することで、トレイ１Ｔ（Ｕ）がトレイ１Ｔ（Ｄ）よりも後方にずれた状態に連結される構成とした。これにより、複数のトレイ１Ｔが積み重ねられた状態でも傾斜姿勢を維持することができる。なお、上記の例では、トレイ１Ｔを二段重ねとしたが、三段以上重ねてもよい。また、オフセットして連結した複数のトレイ１Ｔを、傾斜させずに、床面５１に平行に載置してもよい（図示せず）。この場合、トレイ１Ｔの背面壁１２を壁面５２に面接触させることで、積層した複数のトレイ１Ｔが転倒することを抑制することができる。
【００５２】
［変形例］
本実施形態に係る包装箱１では、正面壁１１および背面壁１２が側壁１Ｓよりも水平方向（流れ方向）に長く形成されていたが、本考案はこれに限定されない。例えば、変形例に係る包装箱２（トレイ２Ｔ）として、図１０に示すように、一対の側壁１Ｓが正面壁１１および背面壁１２よりも水平方向（流れ方向）に長く形成されていてもよい。なお、この包装箱２（トレイ２Ｔ）は、先に説明した包装箱１（トレイ１Ｔ）と略同様の構成・機能を備えているため、その詳細な説明は省略する。
【００５３】
なお、本実施形態に係る包装箱１（変形例の包装箱２（トレイ２Ｔ）を含む。以下同じ。）では、前方傾斜壁２３と後方傾斜壁２４とが底壁１Ｄに対して約４５度の角度で傾斜し、これらの傾斜角度α，βとの和が約９０度に設定されていたが、本考案はこれに限定されない。例えば、トレイ１Ｔを床面５１に対して約６０度（壁面５２に対して約３０度）の角度で立て掛けたい場合には、前方傾斜壁２３の傾斜角度αを約６０度に設定し、後方傾斜壁２４の傾斜角度βを約３０度に設定することが好ましい。すなわち、底壁１Ｄに対する前方傾斜壁２３の傾斜角度αと、底壁１Ｄに対する後方傾斜壁２４の傾斜角度βとは、互いの和が９０度になるように３０度以上６０度以下に設定されていればよい。前方および後方傾斜壁２３，２４の傾斜角度α，βを上記のように設定することで、展示スペース５０の互いに直交する床面５１と壁面５２に対し、前方および後方傾斜壁２３，２４を面接触させることができる。これにより、トレイ１Ｔを展示スペース５０の壁面５２に立て掛けた状態を安定させることができる。
【００５４】
また、本実施形態に係る包装箱１では、係合穴３３と係合突起部３０との前後方向のずれ量Ｄ（オフセット量）が側壁１Ｓの全長の約２/３に設定されていたが、本考案はこれに限定されない。このオフセット量は、トレイ１Ｗの傾斜角度に応じて適宜変更することができる。係合穴３３と係合突起部３０との前後方向のずれ量Ｄは、側壁１Ｓの前後方向の全長の１/３以上２/３以下の範囲に設定されていればよい。
【００５５】
また、本実施形態に係る包装箱１では、底壁１Ｄに係合突起部３０が形成され、側壁１Ｓの上端部に係合穴３３が形成されていたが、これに限らず、係合突起部３０が側壁１Ｓの上端部に形成され、係合穴３３が底壁１Ｄに形成されていてもよい。
【００５６】
また、本実施形態に係る包装箱１では、複数のトレイ１Ｔを積み重ねるために、側壁１Ｓが二重壁構造に形成され、底壁１Ｄに係合突起部３０が形成され、側壁１Ｓの上端部に係合穴３３が形成されていたが、本考案はこれに限定されない。例えば、トレイ１Ｔを積み重ねないのであれば、側壁１Ｓが１枚の段ボールシートで形成され、係合穴３３および係合突起部３０が省略されてもよい。
【００５７】
また、本実施形態に係る包装箱１では、正面壁１１に中敷き壁２６が連設されていたが、中敷き壁２６は省略されてもよい。また、背面壁１２に蓋壁２７が連設されていたが、蓋壁２７は省略されてもよい。
【００５８】
また、本実施形態に係る包装箱１では、底壁１Ｄがインターロック形式で組み上げられていたが、これに限らず、例えば、内フラップに外フラップを接着して底壁（図示せず）が構成されてもよい。また、包装箱１は、トレイ１Ｔの正面開口および上面開口を蓋壁２７で閉塞する構成であったが、これに限らず、蓋壁２７を省略してもよい。また、正面壁１１には正面凹部１１Ａが形成されていたが、正面凹部１１Ａは省略されてもよい。
【００５９】
また、本実施形態に係る包装箱１は、紙製の段ボールシートで形成されていたが、これに限らず、例えば、樹脂製の板等で形成されていてもよい。
【００６０】
なお、上記実施形態の説明は、本考案に係る包装箱における一態様を示すものであって、本考案の技術範囲は、上記実施形態に限定されるものではない。
【符号の説明】
【００６１】
１，２  包装箱
１Ｄ    底壁
１Ｓ    側壁
１１    正面壁
１２    背面壁
２３    前方傾斜壁
２４    後方傾斜壁
３０    係合突起部（被係合部）
３３    係合穴（係合部）
５０    展示スペース
５１    床面
５２    壁面
【図１】
0003216799.tif 000003
【図２】
0003216799.tif 000004
【図３】
0003216799.tif 000005
【図４】
0003216799.tif 000006
【図５】
0003216799.tif 000007
【図６】
0003216799.tif 000008
【図７】
0003216799.tif 000009
【図８】
0003216799.tif 000010
【図９】
0003216799.tif 000011
【図１０】
0003216799.tif 000012